(57)【特許請求の範囲】
【請求項１】
遊技店等の設置枠台に縦向きに設置されて、遊技盤(E)内でパチンコゲームを展開し得る遊技機において、
前記遊技機の外郭保持枠をなして前記設置枠台に固定手段を利用して固定され、上枠杆(1)、左右の側枠杆(2,3)および下の支持枠が互いに枠組み状態で成形される外枠(A)に、前記左側枠杆(2)の上下に配設された前枠用の連結支持手段(30,30)を介して前枠(B)が開閉可能に組付けられて整合し、
互いの組立整合縁となる外枠(A)の前面側の各辺部と、前記前枠(B)の本体枠(11)における基枠部(12)の上及び左右の開口縁において、両枠(A,B)の組合わせ状態で凹凸状に整合して異物の不正侵入防止をなす位置決め縁部(10,26)が形成され、
前記外枠(A)と前枠(B)とを連結する前記上下の各連結支持手段(30)は、外枠(A)の左側枠杆(2)の内側に位置決め固定された受け金具(31)と、前枠(B)の本体枠(11)における基枠部(12)の左内側に位置決め固定された掛け金具(32)との間において、受け金具(31)にピン連節された第１、第２アーム(33,34)と、掛け金具(32)にピン連節された第３、第４アーム(35,36)とが互いにピン連節されて外枠(A)の内側にあり、前記外枠(A)に対して前枠(B)が前後方向へ引く押す動作されることに伴い、前記４つのアーム(33,34,35,36)が伸縮変化されることにより、前記前枠(B)が開閉できる多節リンク機構形態とされ、
前記外枠(A)および前枠(B)と、この前枠(B)に開閉可能に組付けられた装飾ガラス扉(C)と、前枠(B)の裏側に位置して前記遊技盤(E)を着脱可能にセット保持し得るセット枠(D)と、上下の球受け皿(F,G)とを構成する夫々における主体構成部材を合成樹脂成形とした
ことを特徴とする縦型弾球遊技機。
【発明の詳細な説明】
【０００１】
【発明の属する技術分野】
本発明は、縦向きで遊技に供される機内にセットされた遊技盤内でパチンコゲームを展開し得る縦型弾球遊技機に関するものである。
【０００２】
【従来の技術】
パチンコ機やアレンジボール機に代表される従来この種の縦型弾球遊技機では、縦長方形状に枠組み成形された外枠が専ら外郭保持枠とされ、一方、この外枠より高低差のある縦長方形状に枠組み成形されて外枠に開閉可能に組付けられる前枠が遊技構成部材用の搭載枠ともされて、両枠が機体を担っている。このもとで前枠の前後各部位に、ガラス扉付き窓枠、遊技盤及びセット保持枠、上下の球受け皿、打球発射装置及び関連機器、球処理機構部を有する裏機構セット盤等を含む多くの各種の遊技構成部材及び関連付属部品がそれぞれ搭載セットされて、実質的な遊技機本体が構成されており、この遊技機本体と外枠とを合わせて、つまり外枠に前枠側全体が組み付けられて１台毎に取り扱われるようになっている。そして、ゲームホール内等での実施にあたっては、通称「島」とも呼ばれている設置枠台に、上記外枠が所定の後傾起立状態で固定保持されたもとで、この外枠に上記前枠側全体（遊技機本体）が組付けセットされて遊技に供されるようになっている。
【０００３】
【発明が解決しようとする課題】
ところで従来の縦型弾球遊技機では、前記外枠、前枠、窓枠およびガラス扉、セット保持枠、上下の球受け皿等の各構成部材が、夫々異なる材質の素材から形成されていた。例えば前記外枠は、上下および左右の各辺部を所要サイズの木材として、この木材を枠組み形成した木製枠であり、また前記前枠は、所要厚の合板から形成された木製枠が一般的である。一方前記窓枠やガラス扉は、所要幅のレール状材を折曲げ成形した金属製であると共に、前記上球受け皿および下球受け皿は、所要形状にインジェクション成形した合成樹脂製が多い。すなわち、遊技機の各構成部材が異なる材質とされるため、全体の装飾的美観が損われるうえに、上質感および高級感等を図り得ない欠点があった。また遊技機の廃棄処理に際しては、各構成部材を同一材質毎に仕分けるための煩わしい分離解体作業を要するから処理費用が嵩み、これに伴い再利用(リサイクル)においてもコスト高となる等の問題点をも内在していた。
【０００４】
【発明の目的】
本発明は、前述した課題を好適に解決するために新規に提案されたもので、縦向き状態で遊技に供される遊技機の主要部となる構成体を、合成樹脂成形された主体構成部材で構成して、遊技機全体の装飾的美観の向上を図ると共に、主要な各構成体の再利用(リサイクル)を可能とした縦型弾球遊技機を提供することを目的とするものである。
【０００５】
【課題を解決するための手段】
前述した課題を克服し、所期の目的を達成するため本発明に係る縦型弾球遊技機は、
遊技店等の設置枠台に縦向きに設置されて、遊技盤内でパチンコゲームを展開し得る遊技機において、
前記遊技機の外郭保持枠をなして前記設置枠台に固定手段を利用して固定され、上枠杆、左右の側枠杆および下の支持枠が互いに枠組み状態で成形される外枠に、前記左側枠杆の上下に配設された前枠用の連結支持手段を介して前枠が開閉可能に組付けられて整合し、
互いの組立整合縁となる外枠の前面側の各辺部と、前記前枠の本体枠における基枠部の上及び左右の開口縁において、両枠の組合わせ状態で凹凸状に整合して異物の不正侵入防止をなす位置決め縁部が形成され、
前記外枠と前枠とを連結する前記上下の各連結支持手段は、外枠の左側枠杆の内側に位置決め固定された受け金具と、前枠の本体枠における基枠部の左内側に位置決め固定された掛け金具との間において、受け金具にピン連節された第１、第２アームと、掛け金具にピン連節された第３、第４アームとが互いにピン連節されて外枠の内側にあり、前記外枠に対して前枠が前後方向へ引く押す動作されることに伴い、前記４つのアームが伸縮変化されることにより、前記前枠が開閉できる多節リンク機構形態とされ、
前記外枠および前枠と、この前枠に開閉可能に組付けられた装飾ガラス扉と、前枠の裏側に位置して前記遊技盤を着脱可能にセット保持し得るセット枠と、上下の球受け皿とを構成する夫々における主体構成部材を合成樹脂成形としたことを特徴とする。
【０００６】
【作用】
縦型弾球遊技機における外枠、前枠、装飾ガラス扉、セット枠、上の球受け皿、下の球受け皿等の各構成部材は、複雑３次曲面の形成が可能な合成樹脂成形製とされる。このため、各構成部材の外郭形状を複雑な曲面に成形したり、各構成部材同志の接合部を連続的な曲面に成形すること等が容易に可能となり、遊技機全体の装飾的美観が向上する。また、各構成部材を同一の材質で構成することにより、遊技機の廃棄処理に際して分解作業が殆ど不要となり、廃棄処理コストの低減および再利用の容易化を図り得る。
【０００７】
【発明の実施の形態】
以下、本発明に係る縦型弾球遊技機について、好適な実施例を挙げて添付図面を参照しながら詳細に説明する。なお、本実施例では、機内にセットされた遊技盤の遊技領域内にパチンコ球を発射して遊技を行うことができる一般的なパチンコ機を縦型弾球遊技機の一例として例示するが、本発明は、必ずしも一般的なパチンコ機に限定されるものではなく、例えば、所謂アレンジ式パチンコ機等にも応用されるものである。
【０００８】
本実施例のパチンコ機では、その全体的な概要を図１〜図１３に略示するように、固定外郭保持枠をなす縦長方形状の外枠Ａと、この外枠Ａの開口前側に開閉可能に組み付けられた開閉保持枠をなす縦長方形状の前枠Ｂと、前枠Ｂの開口裏側に開閉可能に組み付けられたほぼ正方形状の透視窓扉Ｃと、前記外枠Ａの開口内側に開閉及び着脱可能に組み付けられた縦長方形状のセット枠Ｄとが主体枠とされて、互いに図１４〜図２５に示すように組み付け、組み外し（開閉及び着脱可能）し得るようになっており、セット枠Ｄの前側に遊技盤Ｅが着脱交換可能に収容セットされ得るようになっている。また、上記した一部の主体枠には、主要構成部として前枠Ｂの下部に上の球受け皿Ｆ及び球送り装置Ｉがセットされている一方、外枠Ａの下部に下の球受け皿Ｇ及び打球発射装置Ｈ等が装備されており、また、セット枠Ｄの裏側に球処理機構部Ｊが装備されている。
【０００９】
上記したパチンコ機にあって、それぞれの主体枠Ａ，Ｂ，Ｃ，Ｄと、遊技盤Ｅを除くそれぞれの主要構成部Ｆ，Ｇ，Ｈ，Ｉ，Ｊについては、基本的な構成部材がすべて着色による装飾可能な合成樹脂成形されてなるものであって、図６〜図１３にそれぞれ略示するように、外枠Ａ、前枠Ｂ、透視窓扉Ｃ、及びセット枠Ｄが個々に一体成形又はユニット構成されていると共に、それぞれの主要構成部Ｆ〜Ｊが対応する主体枠Ａ〜Ｄに組み付け設置されており、そして前記４つの主体枠Ａ〜Ｄが個々に枠単位で取扱い得るようになっている。このように、本実施例における主体枠Ａ〜Ｄは、すべて合成樹脂によって構成されるので、従来のように合成樹脂、木、金属が混在して構成されるパチンコ機と比較して、装飾効果を高めるばかりでなく回収後におけるリサイクル処理が行い易く、環境に優しいパチンコ機とすることができる。以下、上記した主体枠Ａ〜Ｄ及び主要構成部Ｆ〜Ｊ毎について順次説明する。なお、説明の便宜上「左右」とは、正面（前面）を基準に観た場合とする。
【００１０】
［外枠Ａ］
外枠Ａは、主として図６及び図７に示すように、上枠杆１と、左右の側枠杆２，３と、下の横長方形枠状の支持枠盤４とが互いに枠組み状態で一体に連設成形されて、これら枠部材１〜４の前側周囲が前枠整合セット用の開口面域とされ、また内法領域が開口されている。そして、上枠杆１には、複数の釘孔５及びセット枠係止用の位置決め口６等が成形されており、左側枠杆２の内側上下部には、前枠用及びセット枠用のそれぞれの後述する連結支持手段３０，１１５が配設され、また、右側枠杆３の内側には、前枠Ｂに係る後述の施錠装置３７の受部側が設置されている。一方、支持枠盤４においては、他の枠部材１〜３より前側に位置して前枠Ｂの整合用受枠部と下の球受け皿Ｇ用の設置枠部をなす前盤部４ａと、下枠杆に相当する底板部４ｂとが一体的に連設成形されている。そして、その垂直平坦な前盤部４ａに下の球受け皿Ｇに係る横長なセット口７と、打球発射装置Ｈに係る箱枠状のセット台部８及び図示円形のセット口９等が形成されており、また、水平平坦な底板部４ｂに複数の釘孔５が成形されている（図１９参照）。なお、この外枠Ａにおいて、前記それぞれの構成枠部分１〜４は、その各部のリブ等により補強されていると共に互いの連設が強化されており、また、各部には、各種構成部材・部品用の設置部（例えば、孔や凹部等）が成形されている。そして、上枠杆１及び右側枠杆３の前端面には、前枠Ｂに対する組み付け整合用の位置決め突条１０（図１７参照）が突設されている。
【００１１】
［前枠Ｂ］
前枠Ｂは、後述する上の球受け皿Ｆを組み付けセットしたユニット枠タイプとされており、その基本的な構成としては、主として図８及び図９に示すように、前面下部に球受け皿Ｆの組み付け用外郭部分を一体に成形した本体枠１１の内側に、ほぼ正方形の窓口１９を開設した補強枠兼用の内枠１８が組み付けセットされている。そして、本体枠１１については、裏面が開口された縦長方形の基枠部１２の前面に、正面縦長方形の枠口１４を開設した前枠部１３が各方向への曲面をもって一体に膨出成形されている。この本体枠１１の基枠部１２では、その内部左側の上下部位に外枠Ａと透視窓扉Ｃに係る後述の連結支持手段３０と開閉支持手段８１とがそれぞれ設置され、内部右側に後述の施錠装置３７の掛け部側が設置されている。また、本体枠１１の前枠部１３では、枠口１４の上部及び左右部に沿って成形された曲線膨出部分が電飾用部とされてそれぞれのフランジ部１４ａ，１４ｂに複数のランプ口１５，１５が配設され、枠口１４の下部に沿って形成された曲線膨出部が上の球受け皿Ｆの外装保護用の外郭枠体１６とされてその上縁にフランジ部１６ａが成形されており、そして、それぞれのフランジ部１４ａ，１６ａの前面に電飾用部材としてのモール１７，１７が枠組み状態で取着セットされている。
【００１２】
一方、前記内枠１８については、前述の本体枠１１の前枠部１３内側に合わせてビス止めされており、窓口１９の周囲に沿って上及び左右のフランジ部１８ａ，１８ａと、前記外郭枠体１６の上方に水平位置する下の支持縁部１８ｂとが互いにほぼ正方枠形状態で一連に成形され、そして各フランジ部１８ａ，１８ａに複数のランプ口２０，２０等が配設されていると共に、その内側に電光表示具（ランプ類）２１が設置され、また、支持縁部１８ｂの左下部に後述のセット枠Ｄの第１給出口１０８側に連絡される球排出路２４が成形されてその前面に開口した球出口２５を上の球受け皿Ｆ側に臨ませるようになっている。ただし、電光表示具２１は、各フランジ部１８ａの内側に取着される帯状のランプ基盤２２に複数個のランプ２３を配置したものが例とされ、各々のランプ２３が適宜区分表示（点灯・点滅）されるようになっている。
【００１３】
なお、この前枠Ｂにおいては、その外形枠である本体枠１１が外枠Ａの開口前面に適合するサイズとされて、枠口１４が内枠１８の窓口１９より適宜広く成形されている。そして、本体枠１１の基枠部１２の上及び左右の開口縁には、外枠Ａの各位置決め突条１０に凹凸状に整合する突条(位置決め縁部)２６が形成されている(図９，２２参照)。また、前記モール１７，１７は、ともに所要とする着色（有色）透明な樹脂材により同等幅で三次元曲線に成形されており、上及び左右のものがランプレンズ兼用とされ、下のものが上の球受け皿Ｆに対する装飾用とされる。そして、右のモール１７と本体枠１１の右フランジ部１４ａ及び内枠１８の右フランジ部１８ａのそれぞれの中央部には、施錠装置３７の錠部に対する円孔２７、逃し口２８，２９が形成されている。また、本体枠１１の下部裏面、つまり外郭枠体１６に対する開口裏面に、上の球受け皿セット用の支持板１５８が固着されるようになっている。
【００１４】
前述した外枠Ａと前枠Ｂとに係る前記上下の連結支持手段３０，３０については、双方共に同様な多節リンク機構形態のものとされている。即ち、主として図１９、図２３、図２４に示すように、外枠Ａの左側枠杆２の内側に位置決め固定された受け金具３１と、前枠Ｂの本体枠１１における基枠部１２の左内側に位置決め固定された掛け金具３２との間において、受け金具３１にピン連節された第１、第２アーム３３，３４と、掛け金具３２にピン連節された第３、第４アーム３５，３６とが互いにピン連節されている。そして、外枠Ａに対して前枠Ｂが前後方向へ引く押す動作されることに伴い、これら４つのアーム３３〜３６がパンタグラフ機構形式のように伸縮変化されることにより、前枠Ｂが軽快に開閉できるようになっている。
【００１５】
このように本実施例においては、外枠Ａと前枠Ｂとが受け金具３１と掛け金具３２とをビスで止着するだけで開閉可能に組み付けられるので、その組み付け時間を従来より短縮することができて作業能率を向上せしめることができ、しかも両枠Ａ，Ｂを共に起立又は一方の枠を倒伏させた楽な態勢で手早く組み付けることができる。また、本実施例においては、連結支持手段３０，３０が外枠Ａの内側にあるため、前枠Ｂを組み付けて閉じた状態では、連結支持手段３０，３０が内部に隠れるので、従来のように外枠と前枠とのヒンジ手段が外部に突出していたものに比べて、美観上優れているばかりでなく、外部からヒンジ部分に対する不正を行うことができず、また、持ち運びの際に突出したヒンジ部分をぶつけたりすることがない。更に、図２３及び図２４に示すように、前枠Ｂを開放した状態においては、前枠Ｂを外枠Ａから前方へ比較的離れた状態で９０度以上に全開位置させることができるので、後述するセット枠Ｄの前面に対する遊技盤Ｅの着脱交換作業や、セットされた遊技盤Ｅの表面における釘調整作業やトラブルの修理が行い易いという利点もある。
【００１６】
一方、外枠Ａと前枠Ｂとに係る前記施錠装置３７については、前枠Ｂの施錠と解錠をなすだけの所謂シングル錠形態のものとされている。即ち、主として図１７、図１８、図２５、図２６、及び図２７に示すように、外枠Ａ側には、掛け部分として右側枠杆３の内側に帯状の支持板３９の上下に掛け片４０を前向きに形成した掛け具３８が位置決め固定されている。これに対して前枠Ｂ側には、施錠受け部分として本体枠１１の右内側に固定された固定支板４１の中央部に錠操作具４２が設置されていると共に、同支板４１に対して施錠杆４６がバネ４９及び案内手段５０を利用して昇降可能に縦支持されている。そして、錠操作具４２では、前枠Ｂの前面側から挿入操作される鍵１４９で回動可能な錠軸４３の内端に係合片４５を形成した解錠盤４４が固着されており、また施錠杆４６では、その上下部に掛け具３８の各掛け片４０に対する受け口４７が形成されていると共に、中央部に解錠盤４４の係合片４５に対する連繋片４８が形成されている。なお、錠操作具４２は、前枠Ｂにおける逃し口２８，２９を利用して前向きに挿入されてその鍵口を右モール１７の円孔２７に臨ませている。因に、鍵１４９の解錠操作は、時計方向とされている。
【００１７】
また、施錠装置３７においては、図１８及び図２５に示すように、外枠Ａ裏側での操作で解錠可能とする手段として解錠操作杆８９が付設されている。この操作杆８９は、右側枠杆３内側の口９０に前後方向に挿通されて上の掛け具３８の上の掛け片４０にピン着支持されており、そして後端の摘み部８９ａを図２５中の上方へ引き上げることにより、前端の解錠部８９ｂが下傾変化しながら前記施錠杆４６の上の受け口４７と係合して同施錠杆４６を押し下げ、掛け具３８側との係合を解錠させ得るようになっている。これにより鍵１４９を使用しなくとも外枠Ａの裏側から解錠して前枠Ｂを楽に開放することができる。
【００１８】
［透視窓扉Ｃ］
透視窓扉Ｃは、後述するセット枠Ｄ内にセットされる各種遊技内容の遊技盤Ｅに対する透視覆蓋保護及びパチンコ遊技中の電光表示装飾を図る一基共通用の装飾用ガラス扉として、前述した前枠Ｂにおける窓口１９裏側に合わせて横開き可能に装備されている。そして、その基本的な構成としては、主として図１０、図１１、図２１、及び図２７に示すように、透視材としてのガラス７９を支持する上下一組の支持杆５１，５２と、ほぼ半円形状の透視口５６を成形して内部に電光表示部を有する左右一組の装飾枠体５５，５５とがほぼ正方形状に枠組みセットされて、窓口１９より適宜広いユニット式の装飾用扉枠として構成されている。上下の支持杆５１，５２については、長さ、形状等に多少の差異があっても同様なレール杆状とされており、それぞれの下面と上面にガラス挿入支持用の前後２列のレール溝５３，５３が平行に凹設されていると共に、各々の後レール溝５３の後側に装飾枠体５５，５５の組み付け用の設置部５４が成形されている。
【００１９】
一方、左右の装飾枠体５５，５５については、形状等に多少の差異があっても基本的には同様な構成として、図１８、図２７、及び図２８に示すように、互いにほぼコ字枠形に成形された後保持枠５７と前保持枠５８とがビス止めされて主体をなしており、後保持枠５７内の各部に所要の向き、形態で成形された後述する２種の保持部６４，６６に電光表示具６８，７４が交換可能に設置されている一方、前保持枠５８の各部に成形されたそれぞれの開口に電飾用部材としての各種形状、サイズのランプ用レンズ５９，５９が着脱可能にセットされて（図２、図１０、図２８参照）、全体的に左側用と右側用との枠単位でユニット化されて取扱い得るようになっている。そして、このそれぞれの枠体５５，５５は、前記上下の支持杆５１，５２との組み付けについて、それぞれの設置部５４，５４に後保持枠５７，５７の上端面と下端面とを整合してビスや位置決めピン等で組み付けられている。
【００２０】
また、この透視窓扉（装飾ガラス扉ともいう）Ｃが左側を支点として開閉されることに合わせて右側からガラス７９を出し入れできる形態とされていることに対応して、前記左の装飾枠体５５では、その左側上下部に前枠Ｂに係る後述の開閉支持手段８１が設置されていると共に、左側中央部にガラス用の止め壁６０が設けられている。これに対して右の装飾枠体５５では、その右側前面がガラス用の出し入れ領域として開口されており、この出し入れ口６１が前枠Ｂにおける内枠１８に装着された後述の開閉保持手段８３により開閉されるようになっている。そして、枠体５５の透視口５６の周囲に沿って遊技球案内用の円弧レール壁６２が成形されていると共に、このレール壁６２の上端に遊技球緩衝用の球止め片６３が取着されている。なお、この装飾ガラス扉Ｃは、遊技盤Ｅの前面に位置することの前提において、双方の装飾枠体５５，５５の透視口５６，５６を合わせた円形領域が遊技盤Ｅの遊技領域、つまり円形状の案内レール１３１の半径サイズより適宜広くされている。また、右の装飾枠体５５の裏側上下部に遊技盤Ｅに対する装飾ガラス扉Ｃの開閉検出用のドアースイッチ８０が必要に応じて配置されており、各々の検出部が遊技盤Ｅの前面で直接操作されるようになっている（図１０、図２７及び図３２参照）。
【００２１】
また、前記ランプ用のレンズ５９，５９では、いずれも透明樹脂材により電光表示具６８，７４の形態や向き等に適合する円弧形、菱形、三角形等の形状に成形されており、そしてそれぞれの前保持枠５８，５８における各々の取着口に対して、フック、係合口、座部、必要に応じて接着剤等を利用して取着されて、電光表示具６８，７４を１個毎又は複数個毎に覆蓋している。なお、いずれのレンズ５９についてもその内面（裏面）にランプ光の拡散面が成形されている。
【００２２】
前述したそれぞれの装飾枠体５５，５５における前記保持部６４，６６では、図２９、図３０、及び図３１に示すように、電光表示具６８，７４の形態に応じて大別的には、１個のＡタイプと複数のＢタイプの２種類があり、Ａタイプの保持部６４は、当該の後保持枠５７の裏板部に成形された方形の口６５の左右に弾性変形が可能なフック６４ａと、位置決め用の保持片６４ｂ及び受け座６４ｃが成形されており、また、Ｂタイプの保持部６６は、所要の向きに成形された方形の口６７の一側部に複数のフック片６６ａ，６６ａと、位置決めピン６６ｃを有する支持座６６ｂが成形されている。ただし、Ｂタイプの保持部６６は、横向き、縦向き、斜め向きの各方向に区分されて成形されている。
【００２３】
これらの保持部６４，６６に設置される前記電光表示具６８，７４について、Ａタイプの電光表示具６８は、図２９及び図３０に示すように、中央にランプ挿入用の円孔７０を有する長方形のランプ基盤６９と、楕円形のホルダー７１に接続支持されたランプ７２とを有し、基盤６９の裏側に突出された２本の接続ピン７２にホルダー７１が差し込み接続されてランプ７２が基盤６９の円孔７０から前方の延出した向きにセットされている。また、Ｂタイプの電光表示具７４は、同じく図２９及び図３１に示すように、長方形のランプ基盤７５と、円筒状のホルダー７６に接続支持されたランプ７７を有し、基盤７５の前側に突出された２本の接続ピン７８にホルダー７６が差し込み接続されてランプ７７が横向きにセットされている。そして、この双方の電光表示具６８，７４では、いずれもそれぞれのランプ基盤６９，７５を当該の保持部６４，６６における係合位置決め部に係合支持することにより、図示の状態でセット保持されるようになっている。
【００２４】
なお、ぞれぞれの電光表示具６８，７４は、当初の設置にあたっては、それぞれの装飾枠体５５，５５の組み立て段階で当該の保持部６４，６６にセット保持される。そして、実施経過において各ランプ７２，７７が切れた場合の交換に際しては、前枠Ｂと共に開放された装飾ガラス扉Ｃの裏側からの操作において、各々の口６５，６７に出し入れできる適宜挾持具（図示しない）等を利用して当該基盤６９，７５の接続ピン７３，７８に対して新旧のランプを抜外し、差し込んで交換セットすることができるようになっている。ただし、各々の電光表示具６８，７４は、ランプ７２，７７が適宜区分表示（点灯、点滅）されるようになっている。
【００２５】
前述した前枠Ｂと装飾ガラス扉Ｃとに係る前記上下の開閉支持手段８１，８１については、双方共に図１６、図２２、図２３、及び図２７に示すように、簡単に着脱ができる一般的な蝶番形態のものが使用されており、互いに軸連結された内外一対の連結片８２，８２が本体枠１１の左内側と、左装飾枠体５５の左縁とにビス止めされている。また、装飾ガラス扉Ｃに対する開閉保持手段８３については、図１７、図１８、図２７、及び図３２に示すように、横開き保持形態のものであって、本体枠１１の右内側上下にビス止めされた支持片８４，８４にガラス用の出し入れ口６１を開閉するための開閉板８５が支軸８８を介して連結されており、この開閉板８５の内側縁には、右装飾枠体５５の右内側に対する抱持縁８６が形成され、また同開閉板８５の支軸側には、ガラス用の横止め縁８７が形成されている。
【００２６】
上記したように、本実施例においては、装飾ガラス扉Ｃを前枠Ｂに対して着脱容易にビス止めされる開閉支持手段８１，８１を止着するだけで開閉可能に組み付けられるので、その組み付け時間を従来より短縮することができて作業能率を向上せしめることができる。また、この場合、前枠Ｂを前記外枠Ａに組み付けた後に装飾ガラス扉Ｃを組み付けることも、あるいは前枠Ｂに装飾ガラス扉Ｃを組み付けた後に前枠Ｂを外枠Ａに組み付けることもできるので、組付手順・工程を任意に設定することによりパチンコ機の組付時間を短縮し、あるいはスピードアップを図ることができ、ひいては生産性の向上を図ることができる。また、従来のパチンコ機のようにガラス扉を金枠に取着せず、前枠Ｂの裏側に装飾ガラス扉Ｃを取着しているので、前枠Ｂの前表面の装飾が前記したようにランプ２３を内蔵したモール１７等のように今までにない装飾効果を発揮させることができ、パチンコ機のグレードアップを図ることができると共に、この装飾ガラス扉Ｃが、その裏側にセットされる遊技盤Ｅに対する好適な透視覆蓋保護窓とされて、遊技盤Ｅ側にセル板・ピアノ線等を差し込むことによる不正行為をし難い構造となっている。特に前述のように構成された装飾ガラス扉Ｃによれば、セット枠Ｄにセットされるすべての遊技盤Ｅに対する共通な装飾枠部材としても好適に使用することができるので、各種の遊技内容を展開し得るそれぞれの遊技盤Ｅ側に装飾部材を取り付ける必要がなくなり、遊技盤Ｅを簡単な構成にして楽に効率よく製作し得る。
【００２７】
［セット枠Ｄ］
セット枠Ｄは、その正面内部に遊技盤Ｅを収容セットする一方、背面に後述する球処理機構部Ｊ及び各種の電気的部材等を装備するものとして、外枠Ａの開口内側に横開き及び着脱が可能に組み付けられている。そして、基本的な構成として、主として図１２、図１３、図３３、図３４、図５９、及び図６０に示すように、外郭本体枠をなす基枠本体９１と、遊技盤用のセット面域９３及び窓口９４を開設した正面内側の収容枠部９２と、遊技盤Ｅに対する整合受枠用ともされて遊技球の打球位置を形成する正面下段部の遊技補助枠部１０１とが適宜段差及び間隔をもって連設成形されて主体とされており、そしてこれらの各枠部に必要な部材が設置されると共に、球処理径路等が成形されて全体が単一枠で取扱い得るように構成されている。
【００２８】
より具体的には、前記収容枠部９２では、セット面域９３内の上下端部に遊技盤Ｅに対する位置決め用ボス９５，９５が前向きに突設されている一方、セット面域９３の下部に、全てのセーフ球用の導出径路とされた左側上段の第１案内路９６と、右側下段の第２案内路９７が互いに適宜勾配で成形されて、第２案内路９６の下流端が遊技補助枠部１０１の裏側に向けて成形された集合排出路９８に連絡されており、また、セット面域９３の下端面、つまり遊技補助枠部１０１上端の整合受け面１０２の中央に、アウト球用の受け口９９が開口されて同補助枠部１０１裏側の処理路２７１に連絡されている。ただし、第２案内路９６の下流部前面には、区画蓋板１００が取着されて受け口９９と区画されている（図３３及び図３４参照）。
【００２９】
また、前記遊技補助枠部１０１では、図１２、図１５、図２０、及び図３４に示すように、前面右側に打球用の発射レール具１０３が取着セットされている一方、前面左側に賞球用の第１，第２給出口１０８，１０９及び迂回路１１０が成形されており、そして、下端縁から前方に向けて回収受け板１１１が成形されて、同受け板１１１中央の集合凹口１１２及び迂回路１１０が共通の通出口１１３に連絡されている。発射レール具１０３は、補助枠部１０１前面に位置決め固定される支持盤１０４の前面に斜め状のレール１０５が取着されており、このレール１０５下端の球受け口１０６（発射位置ともいう）の内側に、後述する打球発射装置Ｈの打球杆２３５に対する逃し口１０７が形成されてセット枠Ｄの開閉時において、レール１０５と打球杆２３５との干渉が回避されて、セット枠Ｄが楽に開閉できるようになっている（図３５、図３６、図３７、及び図５３参照）。また、上段の第１給出口１０８は、前枠Ｂ側の球排出路２４に直接整合されて後述する上の球受け皿Ｆ側に連絡され、下段の第２給出口１０９は、最終的に後述する下の球受け皿Ｇ側に連絡されるようになっている。なお、迂回路１１０の開口前面には、受け樋１１４が取着されている。
【００３０】
なお、このセット枠Ｄは、左側を支点として開閉できる形態とされていることに対応して、後述するように、その基枠本体９１の左側上下部に連結支持手段１１５，１１５が設置され、右側上部に第１施錠保持手段１２０が組み付けられており、そして、右側下部が外枠Ａ側の第２施錠保持手段１２７により保持されるようになっている。また、前記セット面域９３周囲の４ケ所には、遊技盤Ｅに対するセット保持手段１３７が配設されている。
【００３１】
前述した外枠Ａとセット枠Ｄとに係る上下の連結支持手段１１５，１１５については、双方共に図２２、図２３、図３３、図３４、及び図３８に示すように、簡単に着脱ができるピン・孔の嵌め合い連結形態のものであって、左側枠杆２内側に位置決め固定された受け金具１１６に対して基枠本体９１前面に固定された掛け金具１１７がピン１１８及び支孔１１９を介して連結支持されている。また、外枠Ａに対するセット枠Ｄの第１施錠保持手段１２０については、図１２、図３３、図３９、及び図４０に示すように、基枠本体９１の右側上部に画成された凹部１２１内に支軸１２２で支持された操作レバー１２３と、同凹部１２１内の支持筒部１２４に縦挿支持された昇降施錠杆１２５とがラックピニオンの連繋部１２６を介して連繋されており、そして、この昇降施錠杆１２５の上端が支持筒部１２４の口１２４ａから外枠Ａの上枠杆１における前記位置決め口６に対して出没可能に係合できるようになっており、操作レバー１２３の操作により手早く簡単に施錠、解錠ができる。
【００３２】
一方、外枠Ａに対するセット枠Ｄの第２施錠保持手段１２７については、図３４、図３５、及び図３６に示すように、支持枠盤４の右上内部に支軸１２９で支持されたほぼ円形状の施錠盤１２８が摘み１３０を利用して回動し得るようになっており、この施錠盤１２８に成形された係合部１２８ａが前記発射レール具１０３の支持盤１０４の一部（図示右下部）に対して弾性的に係脱できるようになっている。なお、この第２施錠保持手段１２７とも関連して外枠Ａに対するセット枠Ｄの位置決め手段１５０として、図３５、図３６、及び図３７に示すように、前記発射レール具１０３の支持盤１０４裏側にピン１５０Ａが突出されている一方、支持枠盤４の上部前面に孔１５０Ｂが形成されており、両者１５０Ａ，１５０Ｂの嵌挿により、外枠Ａに対してセット枠Ｄの右側（反開閉支点側）の下部が好適に位置決めされるようになっている。
【００３３】
上記したように、本実施例においては、セット枠Ｄを外枠Ａに対して掛け金具１１７を受け金具１１８に嵌め合わせるだけで簡単に開閉及び着脱可能に組み付けられるので、その組み付け時間を短縮することができて作業能率を向上せしめることができる。また、この場合、前枠Ｂを外枠Ａに組み付けた後にセット枠Ｄを組み付けることも、あるいは外枠Ａにセット枠Ｄを組み付けた後に外枠Ａに前枠Ｂを組み付けることもできるので、組付手順・工程を任意に設定することによりパチンコ機の組付時間を短縮し、あるいはスピードアップを図ることができ、ひいては生産性の向上を図ることができる。また、外枠Ａ及び前枠Ｂに対する前記した装飾ガラス扉Ｃ、セット枠Ｄの組付作業態勢は、外枠Ａ及び前枠Ｂを倒伏した状態又は縦向き、横向きの起立した状態のいずれでも可能であり、しかも外枠Ａ及び前枠Ｂの前後方向からの組付作業が行えるので、各セット枠の移送過程における組付作業間隔を短くして生産性の向上を図り得、このような複数の組付作業態勢の中から任意の作業態勢を選択することにより更に生産性の向上を図ることが可能となっている。
【００３４】
［遊技盤Ｅ］
前述のセット枠Ｄ内にセットされる遊技盤Ｅは、図２、図４、及び図１０に示すように、収容枠部９２のセット面域９３内周に適合する一定方形サイズに成形されて、その前面に取着された円弧形の案内レール１３１内に所要のゲーム内容を展開し得る遊技領域１３２が構成されており、そして、前記位置決めボス９５に対する孔１３３と、左右に必要に応じて形成された指掛け部１３４及び後述するセット保持手段１３７を利用して前記遊技補助枠部１０１の整合受け面１０２に基準合わせしたもとで前面側から着脱交換可能にセットされる。この遊技盤Ｅについては、本発明の主たる要旨としないために詳細な説明は省略し、遊技領域１３２では、機種毎のゲーム内容に応じた図柄可変表示装置、特別電動式入賞装置や各種入賞具、遊技釘等の遊技部品で構成されている一例を図２に略示する程度に止める。ただし、各種の遊技部品等の裏側は、前記窓口９４内に位置するセーフ球用の集合カバー１３５で覆蓋され（図３参照）、また、アウト口１３６は、前記受け口９９と連絡される。一方、案内レール１３１下端と、前記発射レール具１０３のレール１０５上端との空間部がファール球用の戻し口（ファール口ともいう）とされて、前記受け樋１１４に連絡される。なお、前記装飾ガラス扉Ｃにおける円弧レール壁６２を利用する場合には、案内レール１３１の一部が省略できる（図４参照）。また、それぞれの入賞装置内に組み込まれたセーフ球用のスイッチの検出信号は、遊技基盤１４９に入力されて制御基盤３３９との間で応答処理される。
【００３５】
この遊技盤Ｅに係る前記４カ所のセット保持手段１３７については、長さ等に多少の差異があってもいずれも同様なハンドル操作形態のものとされている。即ち、図１２、図１３、図３３、図３５、図３９、図４０、図５９、及び図６０に示すようにセット枠Ｄの各部に画成された凹部１３８内の支持筒部１３９にハンドル１４０の回動軸１４１が前後に挿通支持されており、この回動軸１４１に凹部１３８内側の係合部１４２に対する係合片１４４と遊技盤Ｅ前面に対する施錠片１４５とを同一の向きで成形した保持具１４３が嵌挿連結されている。そして、セット枠Ｄの裏側でのハンドル１４０の操作により回動軸１４１と共に保持具１４３が回動されて施錠片１４５を遊技盤Ｅの前面に対する係合（施錠）と解放（解錠）との状態に変化し得るようになっている。また、このセット保持手段１３７では、前側からの操作としてハンドルキー状の操作具１４７を保持具１４３前端に形成された係合口１４６に係合して回動することにより、前述と同様に係合・解放の状態に変化し得るようになっている（図３９参照）。
【００３６】
［上の球受け皿Ｆ］
上の球受け皿Ｆは、前述の前枠Ｂの下部内に組み付けセットされてユニット化されたものであって、その基本的な構成として、主として図８、図１４、図１５、図４１、図４２、及び図４３に示すように、前記本体枠１１側に形成された外装保護用の外郭枠体１６に対して、主体となる皿本体１５１と、この皿本体１５１の上周囲に沿った補強支板１５６と、外郭枠体１６の下部に沿った受け枠体１５７とがそれぞれ組み付けられており、そして、皿本体１５１の裏面が本体枠１１の下部裏面に亘って取着された支持板１５８により覆蓋されている。皿本体１５１については、その上内部に前記内枠１８側の球出口２５と整合された受け皿部１５２と、球を整列化して後述の球送り装置Ｉ側へ送出し得る整流路１５３が所要の勾配をもって一連に成形されており、また、裏側には、整流路１５３の出口１５４底面側に連絡された球抜き路１５５が成形されて、右側部に構成された球抜き部１６１で開閉されるようになっている。なお、皿本体１５１は、予め支持板１５８の前面に取着されたもとで外郭枠体１６内に組み込みセットされるようになっている。前記補強支板１５６は、外郭枠体１６のフランジ部１６ａの下面に組み合わされて内枠１８と共に取着されている。また、受け枠体１５７は、外郭枠体１６の下周部と本体枠１１の下縁とに組み合わされて取着されると共に、皿本体１５１とも組み付けられている。そして、前記支持板１５８は、薄肉金属板より横長方形状に成形されて本体枠１１の基枠部１２、内枠１８及び皿本体１５１の裏側に亘り取着されており、上記整流路１５３と球抜き路１５５の各球出口に対する連絡口１５９やハーネス用の止め具１６０等が設けられている（図５、図５７参照）。
【００３７】
皿本体１５１における上記球抜き部１６１では、図４１、図４２、図４３、及び図４４に示すように、皿本体１５１の前側に一体成形された横長の案内保持枠１６２に左右方向へ移動可能に組み込まれてバネ１６４で常には閉鎖方向（図示右方）に付勢された可動体１６３と、この可動体１６３の内側に成形されて案内保持枠１６２のスリット口１６５から整流路１５３の出口１５４の底面側に延出された開閉舌片１６６と、前記外郭枠体１６の右側の案内口部１６７の前面側に組み付けられて可動体１６３に連繋された操作盤１６８とが主体とされており、外郭枠体１６の前面において操作盤１６８を右方へ操作することにより、可動体１６３の移動にともない開閉舌片１６６が出口１５４の底面側を開放して整流路１５３と球抜き路１５５とを連通し得るようになっている。ただし、出口１５４は、後述する球送り装置Ｉの球通路に連通して前記発射レール具１０３の発射位置側に連絡され（図５７及び図５８参照）、また、球抜き路１５５の下端出口は、前記セット枠Ｄにおける回収受け板１１１の集合凹口１１２に連絡されるようになっている（図２０参照）。なお、可動体１６３は、案内保持枠１６２前側に取着されたカバー１６９で保持されており、開閉舌片１６６は、通常の閉鎖状態において、出口１５４に位置する遊技球を球送り装置Ｉ側へ送出案内し得るようになっている。
【００３８】
上述した上の球受け皿Ｆにおいては、必要に応じて使用されるその余の付属部品として、左側にスピーカ１７０及び球抜き用のスイッチ１７５が組み込まれ、また、右側に球貸し操作部１７９が装備されている。スピーカ１７０は、図１６、図４１、及び図４２に示すように、皿本体１５１の左前側に成形された収容部１７１及びカバー１７２の間に前向きに収容セットされており、そして、発生した音声・メロディー等を前記外郭枠体１６の左側に取着された蓋１７３の各スリット状の透過口１７４を利用して前方に好適に放出し得るようになっている。また、スイッチ１７５は、前記セット枠Ｄにおける後述の球処理機構部Ｊ内の貯留球を機外へ抜き出すための球抜き信号発生用手段とされて、図１６、図４１、及び図４２に示すように、皿本体１５１の左側に成形されたホルダー部１７６内に組み込まれており、その検知部が蓋１７３に設けた小孔１７７に前側から挿入される細杆状の操作具１７８で操作されることにより、ＯＮ（検知）状態とされるようになっている。
【００３９】
一方、上記球貸し操作部１７９は、当該パチンコ機が球貸し型式とされている場合に対応して使用される前提にあって、球貸し媒体として必要な情報が記録されたカード（図示しない）を利用して当該パチンコ機の貯留球（後述する球処理機構部Ｊ内の貯留球）を遊技球として遊技者側に貸し出す操作をなすためのものであって、図１４、図１７、図４１、図４２、及び図４４に示すように、前記皿本体１５１の右前側（球抜き部１６１の上方）に組み付けられた支持盤１８０上において、カードの情報処理部１８１（図７６のみに示す）の制御に基づいて球貸し保有金額（残高を含む）を表示する表示具１８２と、球貸し操作用の貸出スイッチ１８３及びカード返却操作用の返却スイッチ１８４が配設されて前記外郭枠体１６と皿本体１５１との間に組み付けられた透明な操作盤１８５で覆蓋されている。なお、カードの保有金額が最高１万円までとされた例において、表示具１８２では、１００の１桁から１００００の３桁までの条件範囲で１００円単位毎に可変表示し得るデジタル表示形態のものとされ、また、各スイッチ１８３，１８４は、押しボタン形態のものとされており、そしてこれら表示具１８２及びスイッチ１８３，１８４は、情報処理部１８１と共に後述の制御基盤３３９に接続されて入出力制御される。
【００４０】
このように、本実施例においては、外枠Ａとは別個に製作される前枠Ｂに成形された外郭枠体１６内に、実体皿部としての皿本体１５１を組込みセットするだけで、上の球受け皿Ｆが構成し得ると共に、前枠に対してユニット化し得る。また、上の球受け皿Ｆについては、前枠の外郭枠体１６を外装保護部として利用することにより、実質的には、皿本体１５１を主体構成部材とし得、その構成を簡略化し得ると共に、組み付けセット作業の簡素化を図ることができる。更に、外郭枠体１６に皿本体１５１を組み付けセットするだけで、前枠Ｂにおける一定位置に正確で安定良く装置することができるので、従来の開閉前板に上の球受け皿が装備セットされたタイプのものと比較して全ての遊技機を観た場合、上の球受け皿Ｆの位置の統一化を図ることができ、また、球受け皿Ｆ自体のガタ付き等が一切生じないことから、排出される賞球の良好且つ円滑な受け入れ、及び球送り装置Ｉ側に対する適正且つ安定した球の送出を長く好適に果たすことができる。
【００４１】
［下の球受け皿Ｇ］
下の球受け皿Ｇは、図６、図１９、図２０、図４５、及び図４６に示すように、その基本的な構成として外枠Ａの前面に整合位置するセット支板１９１と、このセット支板１９１の前方に整合位置する外郭枠体１９３と、この両者１９１，１９３間に整合位置する皿本体１９７が組み付けられて、全体が１つのユニット皿として構成されており、そして、セット支板１９１単位で外枠Ａの支持枠盤４前面に合わせて装着セットされている。セット支板１９１は、支持枠盤４の前盤部４ａの前面及び上縁に整合するほぼ横長方形状に成形されて、その中央部にセット口７内に整合される球出口１９２が成形されている。また、外郭枠体１９３では、セット支板１９１を組合せ得る形状に成形されて、その内側に皿本体用の収容セット部１９４が成形され、右側に支持枠盤４のセット台部８及びセット口９に対する覆蓋部１９５が成形されている。なお、この覆蓋部１９５には、後述する打球発射装置Ｈの操作部Ｈ１に対する挿通円孔１９６が成形されてセット台部８の支持ボス部２２５を前方に挿通し得るようになっており、また同覆蓋部１９５の前側が操作部Ｈ１に対する操作用空間とされている（図４９参照）。そして、皿本体１９７では、セット支板１９１と外郭枠体１９３の収容セット部１９４の間に組合せ得るほぼ舟形状に成形されて、その中央部に球出口１９２と連絡される収容部１９８が成形されている。
【００４２】
そして、この下の球受け皿Ｇにおいては、皿本体１９７の収容部１９８内の球（獲得した賞球）を球抜き部１９９により皿外へ抜き出し得る。即ち、球抜き部１９９については、図１９、図２０、図４５、図４６、図４７に示すように、収容部１９８の底板に成形された球抜き口２００と、外郭枠体１９３の収容セット部１９４下面に組み付けられた案内保持枠２０１における案内口２０２とが上下に整合されている一方、案内保持枠２０１内に組み込まれた左右移動形式の開閉操作板２０３が、その開閉部２０４を双方の口２００，２０２の間に挿入位置されている。そして、外郭枠体１９３の下部前側に位置する操作摘み２０５を利用して開閉操作板２０３を左方へ移動操作することにより、開閉部２０４が変位して両口２００，２０２を開放連通するようになっている。なお、外郭枠体１９３の収容セット部１９４の底板には、球抜き口２００に対する開口部が成形され、また、開閉操作板２０３は、バネ２０６により常には閉鎖方向（図示右方）に付勢されて開閉部２０４で両口２００，２０２を閉鎖しており、その前端に上記操作摘み２０５を一体成形している。
【００４３】
なお、前述した下球受け皿Ｇにおいては、その余の付属部品等として、外郭枠体１９３と皿本体１９７とに亘って成形された上下の設置凹部２０７に、前後反転式の灰皿２０８が付設されており、また、左端部に押しボタンスイッチ形態の操作部２０９が組み込まれている。この操作部２０９については、図１９、図４５、及び図４８に示すように、前記セット支板１９１の左端前部に突出成形された保持台部２１０にスイッチ２１１及び操作具２１２が組み付けられており、操作具２１２の押しボタン２１３が、外郭枠体１９３左端部の筐部２１６に成形された口２１７に臨んで前方から操作できるようになっている。因に、操作具２１２は、保持台部２１０の係合口２１４に対してフック２１５を利用して着脱可能に取着されており、この操作具２１２で操作されるスイッチ２１１は、前記遊技盤Ｅにおける図柄可変表示装置に対する変動制御、各種の電気部材や電動制御部に対するリセット用あるいは遊技者による連絡用等の信号発生用手段として、各種形式のものが適宜選択されて必要に応じて使用可能とされる。ただし、不要な場合には、スイッチ２１１が取り外しできるようになっている。
【００４４】
［打球発射装置Ｈ］
打球発射装置Ｈは、遊技者による操作に基づいて上の球受け皿Ｆ側から球送り装置Ｉを介して前記発射レール具１０３の発射位置に１球ずつ送り込まれた遊技球を遊技盤Ｅ内に向けて打ち出すモータ駆動形態のものであって、主として図１９、図４６、図４９、図５０、及び図５３に示すように、基本的な構成として大別的には、球円筒状のグリップにユニット化されて下の球受け皿Ｇの右前方において遊技者により操作される操作部Ｈ１（ハンドル部ともいう）と、外枠Ａの支持枠盤４裏側において遊技球を１球ずつ打ち出すための打球作動部Ｈ２と、操作部Ｈ１での操作入力条件に基づいて駆動されて打球操作部Ｈ２を定時的に作動するモータ駆動部Ｈ３と、操作力の伝達及び打球弾発力の調整を図る弾発力調整機構部Ｈ４等を備えており、そして、これらの各部Ｈ１，Ｈ２，Ｈ３，Ｈ４が、予め前側ユニット部と、後側ユニット部とに区分されたもとで、外枠Ａの支持枠盤４におけるセット台部８を主体としてその前後にそれぞれ組み付けセットされている。
【００４５】
まず、操作部Ｈ１については、図４９及び図５０に示すように、前記セット台部８に対する支持筒体２２１と、同支持筒体２２１の前側に整合固定された支持円盤２２２及びキャップ体２２３と、この両者２２２，２２３間に組み込まれた回動操作環２２４とによりユニット化されている。そして、この操作部Ｈ１は、図４６、図４９に示すように直接的には支持筒体２２１の円筒部を、下の球受け皿Ｇの外郭枠体１９３の挿通円孔１９５に挿通すると共に、セット台部８の前方に突設された筒状の支持ボス部２２５に嵌挿連結して、外郭枠体１９３の覆蓋部１９５前側の操作用空間部内に装備セットされている。また、モータ駆動部Ｈ３に対する入力手段として支持円盤２２２とキャップ体２２３の間にレバー状の操作片２２６でＯＮ・ＯＦＦされるスイッチ２２７が組み込まれていると共に、回動操作環２２４の外表面に金属メッキによるタッチ感知面２２８が成形されている。ただし、回動操作環２２４に連結された回動軸２２９は、支持ボス部２２５の軸孔２３０からセット台部８の裏側へ挿通されている。また、タッチ感知面２２８と後述の駆動基盤２５９内のタッチ回路とを合わせて便宜上タッチスイッチともいう。
【００４６】
なお、操作片２２６は、回動操作環２２４の操作前では、図５１に示すように、同操作環２２４内側の操作ピン２３１で拘束されて支持筒体２２１の内側に没入した第１状態に保持され、また、回動操作環２２４の操作時には、図５２に示すように、操作ピン２３１から開放されて支持筒体２２１の外側に突出した第２状態に変位されるようになっており、この第２状態に対して遊技者の指先で第１状態に変位し得るようになっている。これに対してスイッチ２２７は、リミット形式のものが例とされて、操作片２２６の第１状態と第２状態とによりＯＮ・ＯＦＦの検出条件に切り換えられるように設定されている。因に、このスイッチ２２７とタッチ感知面２２８とにそれぞれ接続されたハーネスは、支持筒体２２１の透孔からセット台部８の支持ボス部２２５における挿通口２３２を通してモータ駆動部Ｈ３側の駆動基盤２５９の各入力回路側に接続されるようになっている。
【００４７】
また、前記打球作動部Ｈ２については、図４９、図５０、及び図５３に示すように、前記セット台部８の裏側周囲に固定されたベース２３３単位で構成されており、このベース２３３の軸受に支持された回動軸２３４の後端に、連繋具２３６を有する打球杆２３５が連結されている。そして、回動軸２３４が、ベース２３３前側に設置されたコイルバネ形式の付勢保持具２３７における付勢回動盤２３８に連結されているもとで、打球杆２３５が所要の付勢力をもって打球動作（弾発、弾引動作）を行い得るようになっている。ただし、打球杆２３５は、支持杆盤４の右上端部に成形されたセット口２４１内で往復変位し得、また、その上端の打球頭部２３５ａが、前記発射レール具１０３における逃し口１０７を利用してレール１０５と干渉しないようにされて発射位置に臨み得るようになっている（図３５、図３６、及び図３７参照）。
【００４８】
これに対して前記モータ駆動部Ｈ３については、図４９及び図５３に示すように、ベース２３３裏側に固定された受け台２４２に一方向回転のモータ２４３が設置されており、その主軸２４４の前端に連結されたカム２４５が、打球杆２３１の連繋具２３６に連繋して回転駆動力を打球杆２３１に伝達するようになっている。そして、前記支持枠盤４の裏面下部に設置された駆動基盤２５９（図３参照）において、前述した各部における入力・検出手段２２７，２２８からの入力・検出信号に基づいてモータ２４３が駆動制御されるようになっている。
【００４９】
更に、前記弾発力調整機構部Ｈ４については、図４９、図５０、及び図５３に示すように、操作部Ｈ１の回動軸２２９後端に連結された主ギヤー２４６と、セット台部８裏面の支板２６０に配置された従ギヤー２４７とが伝達ギヤー２４８を介して連繋されると共に、前記ベース２３３の前側にセットされたクラッチ具２５０内の調整ギヤー２５２と、前記付勢保持具２３７における巻取りギヤー２３９が連繋されている。これにより前記回動操作環２２４及び回動軸２２９の操作量（角度変位量）に応じて巻取りギヤー２３９が回動変位されて付勢保持具２３７のコイルバネ２４０の付勢力を強弱調整し得るようになっている。また、クラッチ具２５０にベース２３３裏側から操作し得る調整ダイヤル２５３が付設されており、この調整ダイヤル２５３を一旦前方に押し込んで回動操作することにより、クラッチ２５１と切り離された調整ギヤー２５２の回動に従い巻取りギヤー２３９が、所要角度分変位されてコイルバネ２４０の付勢力を強弱調整設定し得るようになっている。なお、付勢保持具２３７は、前記支持枠盤４のセット口９に嵌挿されて下の球受け皿Ｇの外郭枠体１９３の覆蓋部１９５で覆蓋されている。また、調整ダイヤル２５３は、ベース２３３の裏側での操作において、左方へ強化、右方へ弱化とし得るようになっている。
【００５０】
前述のように構成された打球発射装置Ｈにおいては、毎回の打球作動を検出して後述の球送り装置Ｉの制御作動を図るための作動検出手段２５４が組み込まれている。この作動検出手段２５４では、直接的には前記打球杆２３５の動作位置の確動化を検出する形態のものであって、図４９及び図５３に示すように、前記支持枠盤４の裏面に取着された保持板２５５に、打球杆２３５の連杆２５６に対して状態変化されるレバー状の感知片２５７と、この感知片２５７の変位に対応してＯＮ・ＯＦＦされるスイッチ２５８が配設されている。そして、スイッチ２５８は、リミットスイッチ形式のものが例とされて、その検出部を直接操作する感知片２５７が、弾発端位置（静止待機位置）の打球杆２３５で拘束されていることによりＯＦＦ状態とされ、また、弾引方向に変位された打球杆２３５から解放されたことによりＯＮ状態とされるように設定されている。ただし、このスイッチ２５８は、打球杆２３５の変位開始直後に感知片２５７から解除されてＯＮされる例とし、このＯＮ状態の検出信号が駆動基盤２５９に入力される毎に基づいて、打球発射装置Ｈが確動化されると共に球送り装置Ｉが１回ずつ適正タイミングで球送り作動制御される。
【００５１】
［球送り装置Ｉ］
球送り装置Ｉは、前述した打球発射装置Ｈ側の作動検出手段２５４側からの検出信号毎に基づいて、打球作動とタイミングを合わせて協動的に球送り作動を行う電動制御形態のものであって、図５、図４４、図５４、及び図５５に示すように、基本的な構成として、１つのケース２６１に球送り制御体２６４と電動操作具２６７とが組み付けられて、全体がカセット形式に構成されており、そして、前記上の球受け皿Ｆ裏側における支持板１５８裏面において、遊技球用の整流路１５３の出口１５４に合わせてケース単位でビス止めセットされている。
【００５２】
この球送り装置Ｉにおいて、前記ケース２６１では、その中央部に前記出口１５４と整合連絡された上段の受け口２６２と、前記発射レール具１０３の所要位置に臨む下段の送出口２６３とがそれぞれ球１個分に適した広さをもって成形されて互いに段差状に連絡されている。また、前記球送り制御体２６４では、ケース２６１の内側に支軸２６５で昇降傾動自在に支持されており、その反支点側に受け口２６２の横出口面を実質的に開閉して受け口２６２内の球の停止と解放をなす規制部２６４ａと、受け口２６２及び送出口２６３を実質的に開閉して受け凹部２６４ｂ内の球の停留と解放送出をなす送出案内部２６４ｃとがそれぞれ成形されている。
【００５３】
前記電動操作具２６７では、前述した作動検出手段２５４の検出条件に基づいて通電制御されるソレノイド形態例のものであって、ケース２６１の上部にビス着されるコ字形の支持鉄片２６８の一方にコイルを巻回してなる通電磁力発生部（ボビンともいう）２６９が装着されて、１部品単位で構成されている。そして、この通電磁力発生部２６９が通電時に発生した磁力を支持鉄片２６８一端の磁着部２７０に集中的に作用させることにより、直接的には、この磁着部２７０が球送り制御体２６４の磁性片２６６を磁着し、また、磁力消滅時に解放して球送り制御体２６４を傾動制御するようになっている。ただし、通電磁力発生部２６９は、前記駆動基盤３３９側での制御において、作動検出手段２５４のスイッチ２５８の適正なＯＮ条件毎、つまり所定のＯＦＦ条件に戻された以後のＯＮ毎に基づいて、適宜タイミングで発生される通電出力を受けて設定時間だけ励磁作動されて定時的に制御されるように設定されている。
【００５４】
上記した電動操作具２６７で制御される球送り制御体２６４は、図５４、図５５、及び図５７に示す作動前下降端位置の第１の状態では、規制部２６４ａが受け口２６２に対する閉鎖位置で球を停止し、送出案内部２６４ｃが送出口２６３に対する開放位置で受け入れた球を送出し得る状態とされ、図５６及び図５８に示す作動時上傾端位置の第２状態では、規制部２６４ａが受け口２６２に対する開放位置で球を解放し、受け凹部２６４ｂが受け口２６２と連絡して球を受け入れ、送出案内部２６４ｃが送出口２６３を閉鎖して球を停止し得る状態とされ、この第１、第２状態を交互に変化して遊技球を１球ずつ受入れ、送出しを行い得るようになっている。
【００５５】
なお、前述のように構成された球送り装置Ｉでは、打球発射装置Ｈの打球作動に関連する球送り作動として、打球作動の開始直後、つまり打球杆２３５の弾引方向への変位開始直後に電動操作具２６７の制御作動による球送り作動が開始されて、打球作動の復過程、つまり打球杆２３５の弾発方向への変位開始直後には、球送り作動が終了されるようになっている。これにより球送り作動毎に上の球受け皿Ｆの出口１５４から送出された遊技球を、先行順に１球ずつケース２６１内に受け入れて球送り制御体２６４により発射レール具１０３へ送り込み得、そして、この遊技球を少なくとも打球杆２３５の弾発端位置への復帰前に発射位置に安定した着座状態で待機し得るようになっている。
【００５６】
［球処理機構部Ｊ］
球処理機構部Ｊは、前述したセット枠Ｄの裏側において、遊技に使用された球や貯留球の処理等をなすものであって、主として図３、図１３、図１５、図２０、図５９、及び図６０に示すように、基本的な処理部として、前記遊技補助枠部１０１の裏側に前記アウト球用の受け口９９と連絡された処理路２７１、セーフ球を１球ずつ処理する処理装置２７２、賞球を上下の球受け皿Ｆ，Ｇ側に区分的に排出する賞球区分排出部３２１、貯留球の球抜き処理部３３１等がそれぞれ構成されている一方、セット枠Ｄの裏側上部に賞球用貯留供給部とされる球タンク２８５及び整流樋２９６、賞球を所要個数毎に排出する賞球排出装置３０１等がそれぞれ設置されており、また、セット枠Ｄの裏側側部に排出された賞球を流下案内する賞球流下径路３１３等が構成されている。
【００５７】
まず、前記セーフ球の処理装置２７２については、前記収容枠部９２側の案内路９６、９７側から導出される全てのセーフ球を１球ずつ停留検出して後述する正常な賞球排出作動の終了後にアウト球用処理路２７１側へ解放通出させる電動検出処理形態のものであって、基本的な構成として、図６０、図６１、図６２、図６３、及び図６４に示すように、前記集合排出路９８の裏側出口に対応する部位に着脱可能に取着セットされるケース２７３の中央部に、集合排出路９８及び処理路２７１に亘り連絡される通路２７４が縦向き段差状に成形され、この通路２７４内に検出口２７６を整合した検出スイッチ２７５と、ケース２７３上端のピン２８０で垂下状に支持されて検出口２７６の上下に位置する第１、第２の規制部２７８，２７９を有する規制部材２７７と、この規制部材２７７を切換操作する電動操作具２８２等が組み付けられ、全体がケース単位で構成されている。
【００５８】
そして、この処理装置２７２では、前記電動操作具２８２の作動前による通常の第１状態でセーフ球を停留検出する毎に、その検出信号が後述する賞球排出装置３０１の作動開始条件の１つとして利用され、また、同賞球排出装置３０１の作動終了タイミングに合わせた電動操作具２８２の作動後により、セーフ球を解放通出させる第２状態に変化されるように設定されている。即ち、図６１に示す第１状態では、規制部材２７７が第１規制部２７９を検出スイッチ２７５の検出口２７６の下部中央に臨ませ、第２規制部２７９を検出口２７６の上部側方に退避させた位置にあり、このもとで通路２７４に通入して検出口２７６に入ったセーフ球を第１規制部２７８で停留している状態で検出スイッチ２７５が球有状態を検出（ＯＮ）し得る。また、図６２に示す第２状態として、規制部材２７７が第１規制部２７８を検出口２７６の下部側方に退避させ、第２規制部２７９を検出口２７６の上部中央に臨ませた位置にあり、このもとで検出口２７６内のセーフ球を第１規制部２７８から解放落下させて検出スイッチ２７５が球無状態を検出（ＯＦＦ）し得る一方、通路２７４に通入する又は既に通入している次のセーフ球を第２規制部２７９で一旦停留待機させて通出制止し得るようになっている。
【００５９】
なお、前述の検出スイッチ２７５は、検出口２７６でセーフ球を通過検出し得る磁気センサータイプのものが例とされて、その検出信号を後述する制御基盤３３９に入力するようになっている。また、規制部材２７７は、通路２７４の両外壁部を構成する二又状レバーとされて、常には、バネ２８１で第１状態に付勢されている。そして、電動操作具２８２は、ソレノイド形態のものが例とされ、賞球排出作動の終了時に制御基盤３３９から出力される通電出力に基づいて設定時間分だけ励磁作動されて、そのロッド２８３により規制部材２７７を第２状態に押動操作し得るようになっており、万一の停電時や賞球排出作動の中断時には、作動前の第１状態に保持されるように設定されている。
【００６０】
前記賞球用貯留供給部における球タンク２８５については、図２１、図５９、図６５、図６６、及び図６７に示すように、前記収容枠部９２の裏側に凹設された補助貯留部２８４に合わせて取着セットされており、その開口上周縁に沿って成形された補強用の支持縁２８７に球こぼれ防止材２８９が着脱自在に取着されている。この球こぼれ防止材２８９は、適度の弾力性を有する軟質合成樹脂によりほぼ櫛歯状に成形されたもので、支持縁２８７の全周長に対応する定長サイズのもとで所要長さに切断調節して使用し得るものとされており、図６６及び図６８に示すように、支持縁２８７の上面に整合される芯座２９０の下部における各々の差込み片２９１を支持縁２８７のそれぞれの差込み口２８８に圧入して取着されて、櫛歯状の防止縁２９２を支持縁２８７に沿って起立させている。なお、この球こぼれ防止材２８９においては、ハサミ等による切断及び屈曲を容易にするために芯座２９０の所要部位における両側に切込み２９０ａが成形されている（図６５参照）。
【００６１】
前述した球タンク２８５側においては、貯留球用の検出手段２９３が付設されている。この検出手段２９３では、図６５、図６６、及び図６７に示すように、前記補助貯留部２８４の下流部側にピンで支持された感知レバー２９４が貯留球の球圧を受けて倒伏状態にあるもとで、スイッチ２９５がその検出部をレバー２９４で押し込まれて球有状態を検出し、また、レバー２９４が球圧から解除されて上傾位置に変化した場合に、スイッチ２９５が検出部をレバー２９４から解放されて球無状態を検出し得るようになっている。なお、スイッチ２９５の球無検出信号は、補給装置における駆動部（共に図示しない）の駆動用条件として利用される。
【００６２】
これに対して前記整流樋２９６については、図５９、図６６、図６７、及び図６９に示すように、２列路形態のものであって、前述の球タンク２８５の下方に適宜勾配で取着セットされており、互いに区画された２列の通路２９７の上流部が球タンク２８５の出口２８６に対して適宜間隔をもって連絡され、通路２９７の下流端が後述する賞球排出装置３０１の入口に整合連絡されている。そして、この整流樋２９６の中央部上方と下流部上面に、各通路２９７内の球に対する振り子状の均し具２９８と、斜状の均し板２９９がそれぞれ付設されており、また、整流樋２９６の中央部下方に、各通路２９７内の球の有無を感知する感知レバー３００Ａで操作されるスイッチ３００が配置されている。なお、このスイッチ３００は、前述した上の球受け皿Ｆ側の球貸し操作部１７９に係る貸出し操作と、後述する賞球排出装置３０１の排出作動のそれぞれの開始可能条件用の検出手段として利用される。
【００６３】
一方、前記賞球排出装置３０１については、遊技盤Ｅ側で発生した全てのセーフ球の１球毎に対する所定個数（多数個，少数個を含む）の賞球を１球ずつ検出して排出する電動検出排出形態のものであって、図５９、図６９、図７０、図７１、及び図７２に示すように、基本的な構成として、上流部の両側に通入路３０３を形成すると共に下流部に排出室３０４及び出口３０５を形成したケース３０２と、このケース３０２の開口上面を覆蓋する案内蓋３０６と、ケース３０２の下流端部に取着されたモータ３０７と、ケース３０２内に組み込まれてモータ３０７で回転制御されるスクリュー形式の回転送出体３０８と、排出室３０４の両側に配置されて送り出された賞球を１球ずつカウント検出するセンサー３１０，３１０と、案内蓋３０６の上側に取着されてモータ３０７及びリセットスイッチ付きの基盤３１２を覆蓋するカバー３１１とが組み付けられ、全体が箱形状にユニット構成されて、簡単に着脱できるようになっている。そして、前記収容枠部９２の裏面において、直接的にはケース３０２がビス止めされて各々の通入路３０３を整流樋２９６の各通路２９７に整合した状態でセットされている。
【００６４】
そして、この賞球排出装置３０１では、前述の整流樋２９６側のスイッチ３００による球有検出条件のもとで、前記セーフ球用の処理装置２７２側でのセーフ球検出時点を基準として、後述の制御基盤３３９からセーフ球条件に応答して発信される排出指令に基づいて所定の賞球排出作動を行い得るように設定されている。即ち、排出指令信号に応答して前記モータ３０７が通電駆動されていることに従い、回転送出体３０８が送出方向へ連続回転される過程において、整流樋２９６の各列の通路２９７から各側の通入路３０３に入った賞球が、回転送出体３０８の螺旋運動をなす送り溝３０９に受け入れられたまま送出案内されて、互いに当接整列状態で順次下流側へ送り出されて排出室３０４に１球ずつ交互に転落し、各側のセンサー３１０で検出されて出口３０５から排出される。そして、双方のセンサー３１０によるカウント検出信号の合計分が設定個数に達すると、制御基盤３３９でのカウントアップ処理に基づく排出指令の終了に従って、モータ３０７が即時に停止されて回転送出体３０８が停止ロックされ、当該回の賞球排出作動が終了されるようになっている。なお、賞球排出装置３０１は、当該パチンコ機が球貸し形式とされている場合に対応して使用される前提において、前記貸出しスイッチ１８３からの球貸し排出指令があったときにも駆動制御されて所定個数（例えば、２５個／回）の遊技球を排出するようになっている。
【００６５】
ただし、賞球投入直後における初回の賞球排出作動については、各側の通入路３０３の入口部に入っている賞球が、回転送出体３０８の送り溝３０９の始端部に受け入れられた時点から送り出されて開始される。また、毎回の排出動作終了時においては、各側の通入路３０３に導入された賞球が、送り溝３０９の各ピッチ位置に受け入れられたまま互いには当接整列状態で静止保持されている。そして、排出作動の終了に係るモータ３０７の制御については、双方のセンサー３１０によるカウント検出信号が設定個数Ｎ未満の所定値、例えばＮ−１に達した時点で停止準備として減速駆動され、Ｎに達した時点で即時速やかに停止されるように設定されている。一方、前述したセーフ球に対する賞球排出作動とは別に、前記上の球受け皿Ｆ側の球抜き用スイッチ１７５のＯＮ信号に対して、後述の制御基盤３３９から発信される球抜き指令に基づいて球抜き作動が行ない得、この作動においてモータ３０７が所定の球抜き条件（例えば、４５秒１回）に合わせて通電駆動されるようになっている。
【００６６】
なお、前述した賞球排出装置３０１において、モータ３０７は、ステッピングモータ、センサー３１０は、光電形式のものがそれぞれ例とされて基盤３１２に適宜接続されている。回転送出体３０８は、その下端がモータ３０７の回転軸に連結され、上端がケース３０２内の支持部（軸受スリーブ）に支持されて、定位置で回転されるようになっている。また、外周軸方向に成形した送り溝３０９については、上流の始端から下流の終端に亘り連続する１条の螺旋凹溝であって、賞球の一部を受入得る深さにされており、この回転送出体３０８の１８０度の角度差で対向された各側の通入路３０３の賞球を互いに半ピッチ（球の半径差）の変位差をもって受け入れて導出し得るように設定されている。そして、ケース３０３の排出室３０４がホッパー状に成形されてその下流片側に出口３０５が開口されていることにより、各々のセンサー３１０が各列の通入路３０３から順次送り出されて排出室３０４に転落する賞球を１球ずつ適宜時間差毎に正確に検出し得るようになっている。
【００６７】
また、前記賞球流下案内径路３１３については、図５９、図６０、図７１、図７２、図７３、及び図７４に示すように、前記収容枠部９２の裏側側部に成形された１列の縦路３１４の上下端に、前記賞球排出装置３０１の出口３０５に連絡される第１緩衝案内具３１５と、後述する賞球区分排出部３２１側の切換排出室３２２に連絡される第２緩衝案内具３１８とがそれぞれ着脱交換可能に配設されている。双方の案内具３１５，３１８は、上方の賞球排出装置３０１から落下する賞球を好適に緩衝して通出案内するもので、適度の弾力性を有する合成樹脂材により成形されており、それぞれの本体３１６，３１９に適宜流通形状の１列の案内路３１７，３２０が成形されている。ただし、第２緩衝案内具３１８の案内路３２０は、賞球を後述する賞球区分排出部３２１の第１排出路３２３側に向けて通出させ得る形状に成形されている。なお、この賞球流下案内径路３１３は、その全面に亘りカバー３３８で覆蓋されている。
【００６８】
上記した賞球流下案内径路３１３の下流に連絡される前記賞球区分排出部３２１については、図１５、図６０、図７３、及び図７４に示すように、前記第２緩衝案内具３１８の案内路３２０に連絡された切換排出室３２２と、この切換排出室３２２の一方から前記第１給出口１０８に連絡された第１排出路３２３と、第１排出路３２３の分流路３２３ａから前記第２給出口１０９に連絡された第２排出路３２４が成形されている一方、切換排出室３２２内に賞球の排出案内の切換をなす切換案内片３２５が組み込まれている。そして、前記賞球排出装置３０１から排出されて案内路３２０を介して切換排出室３２２に落下される賞球について、常には切換案内片３２５が図７４に示す第１状態に保持されているもとで、第１排出路３２３に受け入れて第１給出口１０８から優先的に上の球受け皿Ｆへ排出案内する。また、この以降において、上の球受け皿Ｆ側から第１排出路３２３まで賞球が充満した場合では、分流路３２３ａから溢れ出た賞球を第２排出路３２４に受け入れて、以降は前記遊技補助枠部１０１側の迂回路１１０を経由させて通出口１１３から後述する外枠Ａ裏側の球受け容器３２７を介して最終的に下の球受け皿Ｇへ排出し得るようになっている。なお、切換排出室３２３内には、賞球の排出案内を兼ねた金属製円形キャップ状の鈴３２６が取着されている。また、双方の排出路３２３，３２４の間に仕切り部材を必要に応じて付設セットしても良い。
【００６９】
前述の球受け容器３２７については、外枠Ａ裏側における賞球貯留部をなすと共に下の球受け皿Ｇに対する補助収容部をなし得るものであって、図６、図２０、及び図６０に示すように、外枠Ａの支持枠盤４の裏面中央部において、前記セット口７、具体的には下の球受け皿Ｇ側の球出口１９２に整合して取着セットされて、その上端の通入口３２７ａが前記通出口１１３及び集合凹口１１２に連絡されており、また、上部に賞球の充満状態を検出する充満検知手段３２８が付設されている。この充満検知手段３２８では、賞球の充満前に解放されている感知レバー３２９が、容器３２７内に充満した賞球の球圧を受けて押動変化された場合に、スイッチ３３０がその検出部を感知レバー３２９で押し込まれて充満状態を検出し得、また、下の球受け皿Ｇ側での球抜きにより球圧から解放された感知レバー３２９が元の位置に復帰されると、スイッチ３３０がその検出部を感知レバー３２９から解除されて元の検出前状態に戻されるようになっている。なお、このスイッチ３３０の検出時には、前記打球発射装置Ｈのモータ２４３が一旦駆動不能（休止）とされ、スイッチ３３０の復帰時にモータ２４３が駆動可能とされる。
【００７０】
また、前述の賞球流下案内径路３１３の下流に連絡可能とされた前記球抜き処理部３３１については、前述した賞球区分排出部３２１の切換案内片３２５を切換制御する電動形態のものであって、図６０、図７３、図７４、及び図７５に示すように、前記収容枠部９２の左下部に設置された電動切換具３３２の回動軸３３３に切換案内片３２５が連結されている一方、前記切換排出室３２２の他方に連絡された球抜き路３３４が、前記アウト球用の処理路２７１側に向けて成形されている。そして、前記上の球受け皿Ｆ側の球抜き用スイッチ１７５のＯＮ信号に応答して後述の制御基盤３３９から発信される球抜き指令に基づいて、前記賞球排出装置３０１が球抜き作動を開始する直前において、電動切換具３３２が所定の球抜き条件（例えば、５０秒１回）に合わせて通電駆動されて、切換案内片３２５を図７５に示すように切換排出室３２２の一方を閉鎖した第２状態に保持し、球抜き路３３４を排出室３２２を介して前記第２緩衝案内具３１８の案内路３１９と連通状態にする。このもとで賞球排出装置３０１の球抜き作動により排出されて案内路３１９から切換排出室３２２に落下する賞球について、切換案内片３２５が球抜き路３３４へ通入案内させて最終的には機外へ排出させるように設定されている。
【００７１】
そして、この球抜き処理部３３１では、球抜きに係る安全対策の一つとして、前述した本来の球抜き処理作動とは別に、前記賞球排出装置３０１の誤作動による賞球異常排出に対しても好適な球処理をなし得るように設定されている。即ち、賞球排出装置３０１のモータ３０７が、本来のセーフ球検出信号や球抜き信号に応答した排出指令や球抜き指令に基づいて正常（適正）に通電駆動される条件とは別に、電気的系統における何らかの不測事態に起因して発生される異常出力により誤作動された場合において、前記センサー３１０，３１０が異常排出された賞球を検出すると、この異常検出条件（例えば、第３個目の賞球の検出時）に応答して制御基盤３３９から前記電動切換具３３２に対して即時切換指令が発信される。これに基づいて同電動切換具３３２が通電励磁されて前述の切換案内片３２５を第２状態に切り換えることになり、このもとで以後の異常排出される賞球を球抜き路３３４から機外へ排出するようになっている。因に、電動切換具３３２は、ロータリソレノイド形式のものが例とされる。
【００７２】
なお、前述したアウト球用の処理路２７１、セーフ球用の処理装置２７２、賞球区分排出路３２１及び球抜き処理部３３１の裏面全体に亘り１つのセットカバー３３５が取着セットされてこれらを覆蓋しており（図３、図１３、図１５、及び図２０参照）、このカバー３３５の内側とセット枠Ｄの裏側との間に成形された集合排出口３３６に、処理路２７１、セーフ球用の通路２７４及び球抜き路３３４が連絡されて、アウト球、セーフ球、抜出した貯留球を集約的に機外へ排出し得るようになっている。そして、この集合排出口３３６に対しては、それぞれの球を機裏外（遊技店内の設置枠台の内側）に設置された球回収容器（図示しない）に好適に放出案内するための排出シュート３３７が必要に応じて連絡される。ただし、このシュート３３７は、前記球受け容器３２７の側方に対して着脱可能に取着セットされるものを例とし、同容器３２７に一体成形されたものであってもよい（図３、図６、図１９、及び図６０参照）。
【００７３】
以上説明した本実施例に係るパチンコ機の各部に配設されたそれぞれの電気機器部品類については、図７６に例示するように各制御部に接続されて入出力制御されるように設定されている。即ち、前記セット枠Ｄの裏側上部に設置されて電源（ＡＣ２４Ｖ）に接続されるターミナル基盤３４０に対して同図のように大別的には、セーフ球の処理と賞球の排出及び球抜きの制御に係る制御基盤３３９と、打球作動及び球送り作動の制御に係る駆動基盤２５９と、各遊技盤毎のゲーム制御に係る遊技基盤１４８とがそれぞれ区分的に接続されている。そして、ターミナル基盤３４０では、前記ドアースイッチ８０の入力制御、前記球タンク２８５側の検出スイッチ２９５の入力制御、大当りや球補給、打止め等を含む各種の情報の外部（ホールコンピュータ等）への出力制御とを図り得る。また、制御基盤３３９では、前記球貸し操作部１７９側のスイッチ１８３，１８４、表示具１８２及びカード情報処理部１８１の入出力制御と、前記セーフ球用処理装置２７２のスイッチ２７５及び整流樋２９６側のスイッチ３００の入力制御と、前記賞球排出装置３０１のモータ３０７及びセンサー３１０の入出力制御と、前記球抜き用のスイッチ１７５及び電動切換具３３２の入出力制御とを図り得る。
【００７４】
一方、前記駆動基盤２５９では、前記打球発射装置Ｈ側の各スイッチ２２７，２２８と、モータ２４３及び作動検出用のスイッチ２５８、そして球送り装置Ｉ側の電動操作具２６７及び賞球充満用の検出スイッチ３３０の入出力制御を図り得る。そして、前記遊技基盤１４８では、各機種毎の遊技設定条件に対応して制御内容が設定されるが、基本的には、当該遊技盤Ｅで展開される遊技内容（例えば、図柄可変表示装置の作動、セーフ球等の検出、可動入賞装置の開閉、ランプ類の表示等）に係る制御を図り、この他には、前枠Ｂ側の電光表示具２１や装飾ガラス扉Ｃの電光表示具６８，７４、また前記スピーカ１７０や前記下の球受け皿Ｇ側の操作スイッチ２１１の入出力制御を図り得るようになっている。なお、当該の遊技盤Ｅ側において、各入賞具に入ったセーフ球を検出する場合では、その検出信号が前記遊技基盤１４８に入力されて前記制御基盤３３９との間で情報処理交換がなされる。また、前枠Ｂ側の電光表示具２１は、遊技表示用（例えば、大当り表示用）と賞球異常排出表示用とされ、装飾ガラス扉Ｃ側の電光表示具６８，７４は、遊技表示用と賞球減少表示用（球切れ表示用）とセーフ球検出表示用（賞球排出表示用）とに区分されており、そして、前記ドアースイッチ８０が付設される場合には、これに対応する扉開放表示用として利用されるようになっている。
【００７５】
本発明の対象とする縦型弾球遊技機においては、前述した実施例の形態だけに制限されず、これを適宜応用、変更した他の例についても好適に推奨される。例えば、
1.  外枠Ａ及び前枠Ｂの連結支持については、左側枠杆２の上下端部と、本体枠１１の基枠部１２の上下端部とにおいて、ピン、ピン孔を有する支持部と受け部とをそれぞれ設けて互いに着脱可能に連結支持すること。
2.  前枠Ｂ及び装飾ガラス扉Ｃの連結支持については、実施例で示した外枠Ａ及びセット枠Ｄの連結支持手段１１５と同様な形態としたり、図７７に例示するように、前枠Ｂ側に固定される支軸３４２付の支持具３４１と、ガラス扉Ｃ側に固定される軸孔３４４付の受け具３４３とにより、互いに着脱及び開閉可能に連結支持すること。
3.  外枠Ａ及びセット枠Ｄの施錠保持については、図７８に例示するように、右側枠杆３側に設けた位置決め孔３４５に対してセット枠Ｄ側に設けた可動ピン３４７を着脱可能に嵌挿ロックし得る形態とすること。なお、この形態にあっては、図示のように、セット枠Ｄの凹部１２１内に固定される保持枠３４８において、両側の支片３４９に形成されたスリット状の溝３５０を利用して支軸３５１及び同支軸３５１に移動可能に嵌挿した可動ピン３４７を挿通支持して、１つの施錠具３４６としたものであっても良い。そして、必要に応じて可動ピン３４７をバネ３５２で付勢しても良い。
【００７６】
【発明の効果】
以上説明した如く、本発明に係る縦型弾球遊技機では、外枠、前枠、装飾ガラス扉、セット枠、上の球受け皿、下の球受け皿等の各構成部材を、複雑３次曲面の形成が可能な合成樹脂成形製とした。このため、各構成部材の外郭形状を複雑な曲面に成形したり、各構成部材同志の接合部を連続的な曲面に成形すること等が容易に可能となり、遊技機全体の装飾的美観を向上し得る利点がある。また、各構成部材を同一の材質で構成することにより、遊技機の廃棄処理に際して面倒かつ煩わしい分解作業が殆ど不要となり、廃棄処理コストの低減および再利用の容易化を図り得る等の極めて有益な効果を奏する。
【００７７】
前記外枠および前枠には、互いの組立整合縁となる外枠の前面側の各辺部と、前枠の裏面側の各辺部とに、両枠の組合わせ状態で凹凸状に整合する位置決め縁部を形成したので、異物の不正侵入防止をなし得る利点もある。
また、外枠と前枠とを連結する連結支持手段が外枠の内側にあるため、前枠を組み付けて閉じた状態では、連結支持手段が内部に隠れるので、従来のように外枠と前枠とのヒンジ手段が外部に突出していたものに比べて、美観上優れているばかりでなく、外部からヒンジ部分に対する不正を行うことができず、また、持ち運びの際に突出したヒンジ部分をぶつけたりすることがない、と云う効果を奏する。
更に、前枠を開放した状態においては、前枠を外枠から前方へ比較的離れた状態で９０度以上に全開位置させることができ、セット枠の前面に対する遊技盤の着脱交換作業や、セットされた遊技盤の表面における釘調整作業やトラブルの修理が行い易い利点を有する。
【図面の簡単な説明】
【図１】実施例に係る縦型弾球遊技機全体の概要を略示する分解斜視図である。
【図２】同遊技機全体を略示する正面図である。
【図３】同遊技機全体を略示する背面図である。
【図４】同遊技機の外枠側とセット枠及び遊技盤のセット状態を主に略示する正面図である。
【図５】同遊技機の前枠側及び装飾ガラス扉を主に略示する背面図である。
【図６】外枠側及び下の球受け皿側を主に略示する分解斜視図である。
【図７】外枠を略示する背面図である。
【図８】前枠側及び上の球受け皿側を主に略示する分解斜視図である。
【図９】前枠を一部破断省略して略示する背面図である。
【図１０】装飾ガラス扉及び遊技盤を略示する斜視図である。
【図１１】装飾ガラス扉を略示する背面図である。
【図１２】セット枠を正面側より略示する斜視図である。
【図１３】セット枠を背面側より略示する斜視図である。
【図１４】縦型弾球遊技機を上の球受け皿の位置から横断した平断面図である。
【図１５】縦型弾球遊技機を上の球受け皿の位置から縦断した側断面図である。
【図１６】縦型弾球遊技機の組付状態における左側要部を示す平断面図である。
【図１７】縦型弾球遊技機の組付状態における右側要部を示す平断面図である。
【図１８】縦型弾球遊技機の開放状態における右側要部を示す平断面図である。
【図１９】縦型弾球遊技機を下の球受け皿の位置から横断した平断面図である。
【図２０】縦型弾球遊技機を下の球受け皿の位置から縦断した側断面図である。
【図２１】縦型弾球遊技機の組付状態における上側要部を示す側断面図である。
【図２２】縦型弾球遊技機の分解状態における上側要部を示す側断面図である。
【図２３】外枠、前枠、装飾ガラス扉、セット枠に係るそれぞれの連結用手段を示す側断面図である。
【図２４】外枠と前枠とに係る連結支持手段を示す平断面図である。
【図２５】外枠と前枠との組付状態を施錠部側から示す側断面図である。
【図２６】施錠装置の要部を示す斜視図である。
【図２７】前枠裏側の装飾ガラス扉を主に一部破断省略して示す背面図である。
【図２８】装飾ガラス扉の構成主要部を一部破断省略して示す分解斜視図である。
【図２９】装飾ガラス扉における保持部及び電光表示具を示す背面図である。
【図３０】一方のタイプの保持部及び電光表示具の設置状態を示す平断面図である。
【図３１】他方のタイプの保持部及び電光表示具の設置状態を示す平断面図である。
【図３２】装飾ガラス扉に係る開閉保持手段を示す分解斜視図である。
【図３３】外枠内に組み付けられたセット枠の上側要部を示す正面図である。
【図３４】外枠内に組み付けられたセット枠の下側要部を示す正面図である。
【図３５】発射レール具及び第２施錠保持手段を含む要部を示す正面図である。
【図３６】発射レール具及び第２施錠保持手段を示す背面図である。
【図３７】外枠に対するセット枠の開放状態において、打球杆に対する発射レール具の離隔状態を示す側断面図である。
【図３８】外枠とセット枠とに係る連結支持手段を示す斜視図である。
【図３９】外枠とセット枠とに係る第１施錠保持手段及び遊技盤に係るセット保持手段を示す側断面図である。
【図４０】セット保持手段の要部を示す斜視図である。
【図４１】上の球受け皿側を主に示す分解斜視図である。
【図４２】上の球受け皿側を主に一部破断省略して示す正面図である。
【図４３】上の球受け皿側を主に一部破断省略して示す背面図である。
【図４４】上の球受け皿の球抜き部及び球貸し操作部を示す平断面図である。
【図４５】下の球受け皿を示す分解斜視図である。
【図４６】外枠にセットされた下の球受け皿を示す正面図である。
【図４７】下の球受け皿の球抜き部を示す正断面図である。
【図４８】下の球受け皿の操作部を示す分解斜視図である。
【図４９】縦型弾球遊技機を打球発射装置の位置から縦断した側断面図である。
【図５０】打球発射装置の主要部分の分解斜視図である。
【図５１】打球発射装置の操作部の操作前の第１状態を示す正断面図である。
【図５２】打球発射装置の操作部の操作時の第２状態を示す正断面図である。
【図５３】打球発射装置の主要部分を一部破断省略して示す背面図である。
【図５４】球送り装置を遊技機の背面側から観た正面図である。
【図５５】球送り装置を遊技機の正面側から観た背面図である。
【図５６】球送り装置の作動状態を示す背面図である。
【図５７】球送り装置の第１状態を示す側断面図である。
【図５８】球送り装置の第２状態を示す側断面図である。
【図５９】セット枠裏側の球処理機構部の上側要部を一部破断省略して示す背面図である。
【図６０】セット枠裏側の球処理機構部の下側要部を一部破断省略して示す背面図である。
【図６１】セーフ球処理装置を第１状態で示す一部破断省略した正面図である。
【図６２】セーフ球処理装置を第２状態で示す一部破断省略した正面図である。
【図６３】セーフ球処理装置を通路の位置から縦断した側断面図である。
【図６４】セーフ球処理装置をスイッチの上方位置から横断した平断面図である。
【図６５】球処理機構部の球貯留部側を主に背面から示す分解斜視図である。
【図６６】球処理機構部の球貯留部側を主に一部を破断省略して示す背面図である。
【図６７】球処理機構部の球貯留部側を縦断した側断面図である。
【図６８】球タンクの要部を示す分解斜視図である。
【図６９】球処理機構部の球整流排出部側を主に一部破断省略して示す平断面図である。
【図７０】賞球排出装置を主に示す平断面図である。
【図７１】賞球排出装置を主に一部破断省略して示す背面図である。
【図７２】賞球排出装置を縦断した側断面図である。
【図７３】球処理機構部の賞球排出部側を主に背面側から示す斜視図である。
【図７４】賞球排出切換部側を第１の状態（賞球排出状態）で示す背面図である。
【図７５】賞球排出切換部側を第２の状態（球抜き状態）で示す背面図である。
【図７６】縦型弾球遊技機における各種電気的部品の接続制御系統をブロック態様で略示するブロック回路図である。
【図７７】前枠と装飾ガラス扉とに係る他の連結支持手段を示す斜視図である。
【図７８】外枠とセット枠とに係る他の施錠保持手段を示す背面図である。
【符号の説明】
Ａ  外枠，Ｂ  前枠，Ｃ  透視窓扉（装飾ガラス扉），Ｄ  セット枠，
Ｅ  遊技盤，Ｆ  上の球受け皿，Ｇ  下の球受け皿，Ｈ  打球発射装置，
Ｈ１  操作部，Ｈ２  打球作動部，Ｈ３  モータ駆動部，
Ｈ４  弾発力調整機構部，Ｉ  球送り装置，Ｊ  球処理機構部，
１  上枠杆，２  左側枠杆，３  右側枠杆，４  支持枠盤，４ａ  前盤部，
４ｂ  底板部，５  釘孔，６  位置決め口，７  セット口，８  セット台部，
９  セット口，１０  位置決め突条(位置決め縁部)，１１  本体枠，
１２  基枠部，１３  前枠部，１４  枠口，１６  外郭枠体，１７  モール，
１８  内枠，１９  窓口，２１  電光表示具，２３  ランプ，
２４  球排出路，２５  球出口，２６  突条(位置決め縁部)，
３０  連結支持手段，３１  受け金具，３２  掛け金具，３３  第１アーム，３４  第２アーム，３５  第３アーム，３６  第４アーム，３７  施錠装置，
３８  掛け具，４２  錠操作具，４４  解錠盤，４６  施錠杆，
５１  上支持杆，５２  下支持杆，５３  レール溝，５５  装飾枠体，
５６  透視口，５７  後保持枠，５８  前保持枠，５９  ランプ用レンズ，
６１  出入れ口，  ６２  円弧レール壁，６４  保持部，６４ａ  フック，
６４ｂ  保持片，６４ｃ  受け座，６５  口，６６  保持部，
６６ａ  フック，６６ｂ  支持座，６６ｃ  位置決めピン，６７  口，
６８  電光表示具，７２  ランプ，７４  電光表示具，７７  ランプ，
７９  ガラス，８１  開閉支持手段，８２  連結片，８３  開閉保持手段，
８４  支持片，８５  開閉板，８９  解錠操作杆，９１  基枠部，
９２  収容枠部，９３  セット面域，９４  窓口，９５  ボス，
９６  第１案内路，  ９７  第２案内路，９８  集合排出路，９９  受け口，
１０１  遊技補助枠部，１０２  整合受け面，１０３  発射レール具，
１０４  支持盤，１０５  レール，１０７  逃し口，１０８  第１給出口，
１０９  第２給出口，１１０  迂回路，１１１  回収受け板，
１１３  通出口，１１５  連結支持手段，１１６  受け金具，
１１７  掛け金具，１１８  ピン，１１９  支孔，
１２０  第１施錠保持手段，１２３  操作レバー，１２５  昇降施錠杆，
１２７  第２施錠保持手段，１２８  施錠盤，１３７  セット保持手段，
１４０  ハンドル，１４１  回動軸，１４３  保持具，１４５  施錠片，
１４８  遊技基盤，１５１  皿本体，１５２  受け皿部，１５３  整流部，
１５４  出口，１５５  球抜き通路，１５７  受け枠，１５８  支持板，
１５９  連絡口，１６１  球抜き部，１６３  可動体，１６６  開閉舌片，
１６８  操作盤，１７９  球貸し操作部，１９１  セット支板，
１９２  球出口，１９３  外郭枠体，１９７  皿本体，１９８  収容部，
１９９  球抜き部，２０３  開閉操作板，２０９  操作部，
２２１  支持筒体，２２３  キャップ体，２２４  回動操作環，
２２７  スイッチ，２２８  タッチ感知面，２２９  回動軸，
２３３  ベース，２３４  回動軸，２３５  打球杆，２３６  連繋具，
２３７  付勢保持具，２４０  コイルバネ，２４３  モータ，２４５  カム，
２５０  クラッチ具，２５４  作動検出手段，２５６  連杆，
２５８  スイッチ，２５９  駆動基盤，２６１  ケース，２６２  受け口，
２６３  送出口，２６４  球送り制御体，２６７  電動操作具，
２７１  処理路，２７２  処理装置，２７３  ケース，２７４  通路，
２７５  検出スイッチ，２７７  規制部材，２８２  電動操作具，
２８５  球タンク，２８９  球こぼれ防止材，２９６  整流樋，
３０１  賞球排出装置，３０２  ケース，３０３  通入路，３０４  排出室，
３０５  出口，３０７  モータ，３０８  回転送出体，３１０  センサー，
３１３  賞球流下案内径路，３１５  第１緩衝案内具，
３１８  第２緩衝案内具，３２１  賞球区分排出部，３２２  切換排出室，
３２３  第１排出路，３２４  第２排出路，３２５  切換案内片，
３２７  球受け容器，３３１  球抜き処理部，３３２  電動切換具，
３３４  球抜き路，３３５  セットカバー，３３６  集合排出口，
３３９  制御基盤，３４０  ターミナル基盤，
【図１】
0003650874.tif 000002
【図２】
0003650874.tif 000003
【図３】
0003650874.tif 000004
【図４】
0003650874.tif 000005
【図５】
0003650874.tif 000006
【図６】
0003650874.tif 000007
【図７】
0003650874.tif 000008
【図８】
0003650874.tif 000009
【図９】
0003650874.tif 000010
【図１０】
0003650874.tif 000011
【図１１】
0003650874.tif 000012
【図１２】
0003650874.tif 000013
【図１３】
0003650874.tif 000014
【図１４】
0003650874.tif 000015
【図１５】
0003650874.tif 000016
【図１６】
0003650874.tif 000017
【図１７】
0003650874.tif 000018
【図１８】
0003650874.tif 000019
【図１９】
0003650874.tif 000020
【図２０】
0003650874.tif 000021
【図２１】
0003650874.tif 000022
【図２２】
0003650874.tif 000023
【図２３】
0003650874.tif 000024
【図２４】
0003650874.tif 000025
【図２５】
0003650874.tif 000026
【図２６】
0003650874.tif 000027
【図２７】
0003650874.tif 000028
【図２８】
0003650874.tif 000029
【図２９】
0003650874.tif 000030
【図３０】
0003650874.tif 000031
【図３１】
0003650874.tif 000032
【図３２】
0003650874.tif 000033
【図３３】
0003650874.tif 000034
【図３４】
0003650874.tif 000035
【図３５】
0003650874.tif 000036
【図３６】
0003650874.tif 000037
【図３７】
0003650874.tif 000038
【図３８】
0003650874.tif 000039
【図３９】
0003650874.tif 000040
【図４０】
0003650874.tif 000041
【図４１】
0003650874.tif 000042
【図４２】
0003650874.tif 000043
【図４３】
0003650874.tif 000044
【図４４】
0003650874.tif 000045
【図４５】
0003650874.tif 000046
【図４６】
0003650874.tif 000047
【図４７】
0003650874.tif 000048
【図４８】
0003650874.tif 000049
【図４９】
0003650874.tif 000050
【図５０】
0003650874.tif 000051
【図５１】
0003650874.tif 000052
【図５２】
0003650874.tif 000053
【図５３】
0003650874.tif 000054
【図５４】
0003650874.tif 000055
【図５５】
0003650874.tif 000056
【図５６】
0003650874.tif 000057
【図５７】
0003650874.tif 000058
【図５８】
0003650874.tif 000059
【図５９】
0003650874.tif 000060
【図６０】
0003650874.tif 000061
【図６１】
0003650874.tif 000062
【図６２】
0003650874.tif 000063
【図６３】
0003650874.tif 000064
【図６４】
0003650874.tif 000065
【図６５】
0003650874.tif 000066
【図６６】
0003650874.tif 000067
【図６７】
0003650874.tif 000068
【図６８】
0003650874.tif 000069
【図６９】
0003650874.tif 000070
【図７０】
0003650874.tif 000071
【図７１】
0003650874.tif 000072
【図７２】
0003650874.tif 000073
【図７３】
0003650874.tif 000074
【図７４】
0003650874.tif 000075
【図７５】
0003650874.tif 000076
【図７６】
0003650874.tif 000077
【図７７】
0003650874.tif 000078
【図７８】
0003650874.tif 000079